(57)【要約】【課題】光の照射方向を正しく設定しながらＬＥＤ光源ユニットをハウジングに装着する。【解決手段】ハウジング５１の基板部１５の当接部１５ａ（基板部１５の一部）がハウジング５１の光源支持壁７１、７２の上端（ハウジング５１の一部）と当接することにより、挟持方向（Ｙ、Ｙ１）を回転軸とする回転方向においてＬＥＤ光源ユニット１０が回り止めされている。【選択図】図８
2014156169.tif 000002
【特許請求の範囲】
【請求項１】
舟形電球の一対の口金を弾性挟持して保持可能な一対の給電端子が挟持方向に対向して配置された光源収容部を有するハウジングと、
ＬＥＤが搭載された基板部と、該基板部の両端それぞれに連設された、前記舟形電球の口金と同一形状の一対の口金部と、を有し、該口金部が前記給電端子に弾性挟持されるように前記光源収容部に収容された光源部と、
を備える室内照明灯であって、
前記基板部の一部が前記ハウジングの一部と当接することにより、前記挟持方向を回転軸とする回転方向において前記光源部が回り止めされる、
ことを特徴とする室内照明灯。
【請求項２】
前記光源収容部は、ヒートシンク部を有し、
前記基板部の一部が前記ヒートシンク部の一部と当接することにより、前記光源部が回り止めされる、
ことを特徴とする請求項１に記載の室内照明灯。
【請求項３】
前記基板部は、前記ＬＥＤが搭載された面と反対側の面に設けられたヒートシンク部を有し、
前記ヒートシンク部の一部が前記ハウジングの一部と当接することにより、前記光源部が回り止めされる、
ことを特徴とする請求項１に記載の室内照明灯。
【請求項４】
前記基板部には、係止部が形成され、
前記ハウジングには、前記口金部の極性が前記給電端子の極性と一致する姿勢で前記光源部が前記光源収容部に装着されようとする際には前記係止部と係合して当該装着を許容し、前記口金部の極性が前記給電端子の極性と一致しない姿勢で前記光源部が前記光源収容部に装着されようとする際には当該装着を阻止する被係止部が形成されている、
ことを特徴とする請求項１〜請求項３のいずれか１項に記載の室内照明灯。
【発明の詳細な説明】
【技術分野】
【０００１】
本発明は、例えば自動車用のルームランプとして使用される室内照明灯に関する。
【背景技術】
【０００２】
自動車用のルームランプの中には、一般的な舟形電球を光源部として用いたものが知られている。舟形電球とは、フィラメントを内蔵した照光管部の軸方向両端に一対の口金部が設けられた両口金形の電球（バルブ）である。この舟形電球が用いられる自動車用のルームランプのハウジングには、舟形電球を弾性挟持する一対の給電端子を備えた光源収容部が設けられている。そして、舟形電流を光源収容部に装着した際に、当該一対の給電端子が舟形電球の軸方向両端の口金部に接触して導通するようになっている。
【０００３】
ところで、従来の舟形電球は、発光体がフィラメントであるため、寿命が短く、また、電力の消費量が多いという問題があった。そこで、そのような問題を解決するべく、発光体としてＬＥＤ（Light Emitting Diode、発光ダイオード）を用いた舟形電球タイプのＬＥＤ光源ユニットが、光源部として提案されている（例えば、特許文献１参照。）。
【０００４】
このような舟形電球タイプのＬＥＤ光源ユニットは、従来の舟形電球と同一形状の口金部を有するように構成されており、舟形電球の代替品として、自動車用のルームランプ等の、従来の舟形電球を用いる照明器具の光源収容部にそのまま装着することができる。また、発光体としてＬＥＤを使用しているので、光源の寿命を飛躍的に延長させることができると共に、電力消費量を大幅に低減することができる等のメリットがある。
【先行技術文献】
【特許文献】
【０００５】
【特許文献１】特開２０１２−８４２４６号公報
【発明の概要】
【発明が解決しようとする課題】
【０００６】
ところで、舟形電球タイプの光源部を用いた装着構造では、光源部は、弾性挟持される給電端子（光源収容部）に対して、当該挟持方向を回転軸とする回転方向において回転可能に装着される。このため、舟形電球タイプの光源部を用いた装着構造では、光源部を光源収容部に組み付ける際に、取付姿勢が正規なものからずれてしまう場合がある。
【０００７】
光源部としてＬＥＤ光源ユニットを用いる場合には、ＬＥＤ光源ユニットは光の指向性が高いため、取付姿勢が正規なものでないと、所望の方向に光を照射できない虞がある。
【０００８】
本発明は、上述した事情に鑑みてなされたものであり、その目的は、光源部を適切な取付姿勢でハウジングに装着できるようにした室内照明灯を提供することにある。
【課題を解決するための手段】
【０００９】
前述した目的を達成するために、本発明に係る室内照明灯は、下記の点を特徴としている。
（１）  舟形電球の一対の口金を弾性挟持して保持可能な一対の給電端子が挟持方向に対向して配置された光源収容部を有するハウジングと、
ＬＥＤが搭載された基板部と、該基板部の両端それぞれに連設された、前記舟形電球の口金と同一形状の一対の口金部と、を有し、該口金部が前記給電端子に弾性挟持されるように前記光源収容部に収容された光源部と、
を備える室内照明灯であって、
前記基板部の一部が前記ハウジングの一部と当接することにより、前記挟持方向を回転軸とする回転方向において前記光源部が回り止めされる、
こと。
（２）  上記（１）の構成の室内照明灯において、
前記光源収容部は、ヒートシンク部を有し、
前記基板部の一部が前記ヒートシンク部の一部と当接することにより、前記光源部が回り止めされる、
こと。
（３）  上記（１）の構成の室内照明灯において、
前記基板部は、前記ＬＥＤが搭載された面と反対側の面に設けられたヒートシンク部を有し、
前記ヒートシンク部の一部が前記ハウジングの一部と当接することにより、前記光源部が回り止めされる、
こと。
（４）  上記（１）〜（３）のいずれかの構成の室内照明灯において、
前記基板部には、係止部が形成され、
前記ハウジングには、前記口金部の極性が前記給電端子の極性と一致する姿勢で前記光源部が前記光源収容部に装着されようとする際には前記係止部と係合して当該装着を許容し、前記口金部の極性が前記給電端子の極性と一致しない姿勢で前記光源部が前記光源収容部に装着されようとする際には当該装着を阻止する被係止部が形成されている、
こと。
【００１０】
上記（１）の構成の室内照明灯によれば、基板部の一部がハウジングの一部と当接することにより、光源部が回り止めされるので、光源部を適切な取付姿勢でハウジングに装着することができる。
上記（２）の構成の室内照明灯によれば、光源部が回り止めされた状態において、当該光源部が光源収容部に設けられたヒートシンク部に当接（接触）するので、光源部の放熱効果を高めることができる。
上記（３）の構成の室内照明灯によれば、光源部の基板部がヒートシンク部を備えるので、光源部の放熱効果を高めることができる。また、光源部の放熱効果を高めるためのヒートシンク部を用いて光源部の回り止めを実現できるので、特別な構成を設けることなく平易な構成で回り止めを実現でき、部品点数の削減や製造コストの低減を図ることができる。また、ヒートシンク部が基板部のＬＥＤが搭載された面（表面）とは反対側の面（裏面）に設けられているので、作業者は、目視により表裏を確認して、表裏面を適切な向きとして、光源部をハウジングの光源収容部に装着することができる。
上記（４）の構成の室内照明灯によれば、光源部をハウジングの光源収容部に取り付ける際に、光源部の両端の口金部の極性と光源収容部の給電端子の極性の対応関係の誤りを回避しながら、光源部をハウジングの光源収容部に装着することができる。つまり、光源部の両端の口金部の極性が光源収容部の給電端子の極性と一致しない向きで光源部をハウジングの光源収容部に装着すると、光源部の機能を損なう虞があるが、それを回避することができる。
【発明の効果】
【００１１】
本発明の室内照明灯によれば、光源部を適切な取付姿勢でハウジングに装着できるようにした室内照明灯を提供できる。
【００１２】
以上、本発明について簡潔に説明した。更に、以下に説明される発明を実施するための最良の形態を添付の図面を参照して通読することにより、本発明の詳細は更に明確化されるであろう。
【図面の簡単な説明】
【００１３】
【図１】図１は、第１の実施形態に係る室内照明灯の斜視図である。
【図２】図２は、第１の実施形態に係る室内照明灯におけるＬＥＤ光源ユニットを示す図であり、図２（ａ）は表側（ＬＥＤが搭載されている側）から視た斜視図、図２（ｂ）は裏側から視た斜視図、図２（ｃ）は平面図である。
【図３】図３は、第１の実施形態に係る室内照明灯における照明灯本体の分解斜視図である。
【図４】図４は、図１に示す照明灯本体の組付手順の説明図であり、図４（ａ）はスイッチの分解斜視図、図４（ｂ）は組み立てたスイッチをハウジングに組み付けようとしている状態を示す斜視図である。
【図５】図５は、同照明灯本体の図４の次の組付手順の説明図で、バスバー、ターミナル、及びスイッチカバーをハウジングに組み付けようとしている状態を示す斜視図である。
【図６】図６は、同照明灯本体の図５の次の組付手順の説明図で、ワイヤーハーネスと圧接カバーをハウジングに組み付けようとしている状態を示す斜視図である。
【図７】図７は、図４〜図６に示す組付手順により組み立てが完了した照明灯本体の光源収容部に、光源部であるＬＥＤ光源ユニットを組み付けようとしている状態を示す斜視図である。
【図８】図８は、図１における室内照明灯を一部切断して示す斜視図である。
【図９】図９は、第１の実施形態における照明灯本体の光源収容部に従来の舟形電球を装着しようとしている状態を示す斜視図である。
【図１０】図１０は、同舟形電球を装着した状態を一部切断して示す斜視図である。
【図１１】図１１は、第２の実施形態に係る室内照明灯におけるＬＥＤ光源ユニットの構成図であり、図１１（ａ）は表側から見た斜視図、図１１（ｂ）は裏側から見た斜視図である。
【図１２】図１２は、図１１に示すＬＥＤ光源ユニットを第２の実施形態における照明灯本体の光源収容部に組み付けた状態を一部切断して示す斜視図である。
【図１３】図１３は、同第２の実施形態におけるＬＥＤ光源ユニットの基板部と照明灯本体のハウジングの光源支持壁の関係を概略的に示す斜視図で、図１３（ａ）はＬＥＤ光源ユニットの左右方向の向きが光源収容部に対して適正に設定された場合の基板部と光源支持壁の関係を示す斜視図であり、図１３（ｂ）はＬＥＤ光源ユニットの左右方向の向きが光源収容部に対して反対向きに設定されている場合の基板部と光源支持壁の関係を示す斜視図である。
【図１４Ａ】図１４Ａは、図１３（ａ）に示す姿勢で基板部と光源支持壁とが組み合わせられる場合の作用説明図で、図１４Ａ（ａ）は基板部を光源支持壁に合わせる前の状態を示す断面図、図１４Ａ（ｂ）は基板部を光源支持壁に合わせた状態を示す断面図である。
【図１４Ｂ】図１４Ｂは、図１３（ｂ）に示す姿勢で基板部と光源支持壁とが組み合わせられる場合の作用説明図で、図１４Ｂ（ａ）は基板部を光源支持壁に合わせる前の状態を示す断面図、図１４Ｂ（ｂ）は基板部を光源支持壁に合わせようとするが適正に合わせられない状態を示す断面図である。
【図１５】図１５は、第３の実施形態の室内照明灯におけるＬＥＤ光源ユニットの構成を示す斜視図である。
【図１６】図１６は、第３の実施形態のＬＥＤ光源ユニットを照明灯本体の光源収容部に組み付けようとしている状態を示す斜視図である。
【図１７】図１７は、第３の実施形態のＬＥＤ光源ユニットを照明灯本体の光源収容部に組み付けた状態を一部切断して示す斜視図である。
【図１８】図１８は、第３の実施形態の照明灯本体の光源収容部に従来の舟形電球を装着しようとしている状態を斜視図である。
【図１９】図１９は、同舟形電球を装着した状態を一部切断して示す斜視図である。
【発明を実施するための形態】
【００１４】
以下、本発明の実施形態を図面を参照して説明する。
【００１５】
＜第１の実施形態＞
図１〜図１０を参照して、第１の実施形態に係る室内照明灯１について説明する。
以下、本明細書中では、図１に示す組み付け完了後の状態を参照して、図１に矢印で示すように前側、後側、上側、下側、左側、右側を規定して説明するが、これらは使用時における方向を限定するものではない。例えば、第１の実施形態に係る室内照明灯１は、車両天井部の内装材（図示せず。）に後述するハウジング５１の底壁７５が対向するように取り付けられた場合、図１中の矢印における上向きが鉛直下向きとなる。即ち、この場合、本実施形態に係る室内照明灯１は、図１に示す姿勢とは上下逆向きの姿勢で車両天井部の内装材に取り付けられて用いられる。
【００１６】
図１〜図３に示すように、第１の実施形態に係る室内照明灯１は、光源部であるＬＥＤ光源ユニット１０と、ＬＥＤ光源ユニット１０が装着される照明灯本体５０と、を備えている。
【００１７】
図２に示すように、ＬＥＤ光源ユニット１０は、絶縁樹脂製の基板部１５と、基板部１５の、ＬＥＤ光源ユニット１０の軸線方向（図２中矢印Ｙ１方向）における両端（即ち、図１における左右両端。）それぞれに連設された一対の口金部１８とを備えている。基板部１５は、板状に形成され、複数のＬＥＤ１２、抵抗１３、及びダイオード１４がその表（おもて）面に搭載されている。一対の口金部１８は、基板部１５に近い側における円筒状の胴部１８ａと、胴部１８ａの外側に連設された先窄まり形状の円錐部１８ｂと、をそれぞれ備えている。
【００１８】
一対の口金部１８は、従来のフィラメント式の舟形電球（後述する舟形電球１１０）の口金部（後述する舟形電球１１８）と同一形状で且つ同一の位置関係で配置されている。また、一対の口金部１８は、ＬＥＤ光源ユニット１０が後述するハウジング５１の光源収容部６０に装着されると、図１に示すように、光源収容部６０の両端に配された後述する一対の給電端子６１、６２によって弾性挟持される。
【００１９】
図２に示すように、ＬＥＤ１２が実装された基板部１５の表面は、口金部１８の略中心を通る位置に配されている。基板部１５は、その一部が前後方向において口金部１８よりも外側に張り出している。そして、口金部１８より外側に張り出した部分の裏面（ＬＥＤ１２を実装した表面とは反対側の面）が、後述する光源支持壁７１、７２の先端（上端）に当接する当接部１５ａとされている。
【００２０】
図３に示すように、照明灯本体５０は、ハウジング５１と、点灯及び消灯を行うためのスイッチ５２と、スイッチ５２を保護するための絶縁樹脂製のスイッチカバー５６と、回路を構成する導電金属製のバスバー５７及びターミナル５８と、絶縁樹脂製の圧接カバー５９と、を備えている。
【００２１】
ハウジング５１は、平面視四角形状の外形を有し、平面視四角形の一方の対向辺に沿った方向をＸ方向（前後方向）、他方の対向辺に沿った方向をＹ方向（左右方向）とすると、Ｘ方向の一端側（前側）にＬＥＤ光源ユニット１０を装着するための光源収容部６０を有し、他端側（後側）にスイッチ５２を装着するためのスイッチ装着部６５を有し、光源収容部６０とスイッチ装着部６５との間に、バスバー５７及びターミナル５８が配置されると共に電線Ｗが配索される電線接続部６６を有している。
【００２２】
図３及び図８に示すように、ハウジング５１の光源収容部６０の底壁７５には、光源であるＬＥＤ光源ユニット１０を支持するための一対の光源支持壁７１、７２がＸ方向に間隔をおいて互いに平行に立設されている。ハウジング５１の底壁７５には略矩形状の開口７３が形成されており、一対の光源支持壁７１、７２は、その開口７３の対向側縁から立設されている。これら光源支持壁７１、７２の機能については後述する。
【００２３】
ハウジング５１は、図８に示すように、光源支持壁７１、７２を含む底壁７５の一部が、ヒートシンク部７４として熱伝導性が高い金属により形成されている。ハウジング５１のヒートシンク部７４以外の部分は、絶縁樹脂により形成されている。ヒートシンク部７４は、インサート成形によってハウジング５１と一体に構成されている。尚、本実施形態では、ヒートシンク部７４は、インサート成形によってハウジング５１と一体に形成されている構成としたが、別体に形成され、嵌め合わせ等によってハウジング５１に組み付けられている構成としても構わない。
【００２４】
図４（ａ）に示すように、スイッチ５２は、絶縁樹脂製のスライダ９２と、このスライダ９２に収容される絶縁樹脂製のボール９３と、このボール９３の上部に配置される金属製のスプリング９４と、スライダ９２に対して上方から組み付けられて装着され、後述するバスバー５７のスイッチ端子部６４と接続する導電金属製のコンタクト９５とを備えている。スイッチ５２は、スイッチ端子部が配置されたハウジング５１のスイッチ装着部６５に収容され、ハウジング５１の左右方向（図３中Ｙ方向）において移動可能とされる。スイッチカバー５６は、スイッチ５２を覆うようにハウジング５１のスイッチ装着部６５に上方から装着される。
【００２５】
バスバー５７及びターミナル５８は、ハウジング５１の電線接続部６６に上方から装着されるもので、それぞれがＬＥＤ光源ユニット１０の一対の口金部１８に給電するための給電端子６１，６２を有している。また、バスバー５７は、電線Ｗを圧接するための圧接端子部６３と、スイッチ装着部６５に装着されるスイッチ５２と接続するスイッチ端子部６４とを更に有している。これらバスバー５７及びターミナル５８がハウジング５１に組み付けられることにより、電線接続部６６に圧接端子部６３が配置され、スイッチ装着部６５にスイッチ端子部６４が配置され、光源収容部６０のＹ方向における両端（左右両端）に、バスバー５７の給電端子６１とターミナル５８の給電端子６２とがそれぞれ配置される。
【００２６】
給電端子６１、６２は、ハウジング５１の光源収容部６０にＹ方向（左右方向）に対向して配置され、少なくともいずれか一方がＹ方向におけるバネ性を有している。また、給電端子６１、６２には、ＬＥＤ光源ユニット１０の口金部１８の円錐部１８ｂが嵌まる嵌合孔６１ａ、６２ａがそれぞれ設けられている。給電端子６１、６２は、ハウジング５１の光源収容部６０に、Ｙ方向に軸方向Ｙ１を一致させた状態でＬＥＤ光源ユニット１０が収容された際に、ＬＥＤ光源ユニット１０の口金部１８をＹ方向の両側から弾性挟持することによってＬＥＤ光源ユニット１０を保持し、且つ、その状態でＬＥＤ光源ユニット１０の口金部１８に弾性接触して導通する。
【００２７】
また、バスバー５７の圧接端子部６３には、複数の圧接刃６３ａが設けられている。これらの圧接刃６３ａは、電線Ｗが押し付けられることにより、電線Ｗの被覆から内部の導体を露出させ、その導体と電気的に接続する。これにより、電線Ｗからバスバー５７へ電力が供給可能とされる。圧接カバー５９は、バスバー５７の圧接端子部６３を保護するためのものであり、電線Ｗの圧接後に、電線接続部６６を覆うようにハウジング５１に装着される。
【００２８】
照明灯本体５０の組立は以下の手順で行う。
まず、図４（ａ）に示すように、スイッチ５２を組み立て、組み立てたスイッチ５２を図４（ｂ）に示すようにハウジング５１のスイッチ装着部６５に組み付ける。次に、図５に示すように、ハウジング５１にバスバー５７及びターミナル５８を組み付けると共に、スイッチカバー５６を組み付ける。続いて、図６に示すように、バスバー５７の圧接端子に電線Ｗを圧接接続した後に、圧接カバー５９を組み付ける。以上の工程により、照明灯本体５０の組付が完了する。その後、図７に示すように、照明灯本体５０の光源収容部６０にＬＥＤ光源ユニット１０を組み付けることにより、室内照明灯１が完成する。
【００２９】
次に、照明灯本体５０のハウジング５１と、光源収容部６０に装着されるＬＥＤ光源ユニット１０の関係について述べる。
【００３０】
図１に示すように、照明灯本体５０の光源収容部６０にＬＥＤ光源ユニット１０を装着する際、ＬＥＤ光源ユニット１０は、自身の軸方向Ｙ１をハウジング５１のＹ方向に一致させた姿勢で、光源収容部６０に装着される。そして、光源収容部６０にＬＥＤ光源ユニット１０を装着した際に、図７に示すように、ＬＥＤ光源ユニット１０の両端の口金部１８の円錐部１８ｂが、光源収容部６０の両端の給電端子６１、６２の嵌合孔６１ａ、６２ａに嵌合することで、ＬＥＤ光源ユニット１０は、一対の給電端子６１、６２によって、図７中の矢印Ｋ方向（挟持方向）の挟持力を受けながら弾性挟持される。
【００３１】
このようにＬＥＤ光源ユニット１０が光源収容部６０に装着されたとき、図８に示すように、ＬＥＤ光源ユニット１０の基板部１５の左右側縁の裏面の当接部１５ａ（基板１５の一部）がハウジング５１の光源支持壁７１、７２の上端（ハウジング５１の一部、ヒートシンク部７４の一部）に当接する（接触している）ことにより、挟持方向（Ｙ、Ｙ１方向）を回転軸とする回転方向（矢印Ａ方向）において回転しないようにＬＥＤ光源ユニット１０が支持される。
【００３２】
このように、ＬＥＤ光源ユニット１０を光源収容部６０に装着したとき、ＬＥＤ光源ユニット１０の基板部１５の左右両側縁がハウジング５１の光源支持壁７１、７２の上端に当接することで、ＬＥＤ光源ユニット１０が挟持方向であるＹ方向を回転軸として回転しないように回り止めされる。このため、ＬＥＤ光源ユニット１０を適切な取付姿勢でハウジング５１に装着することができる。
【００３３】
また、ハウジング５１の光源収容部６０の光源支持壁７１、７２は、ヒートシンク部７４として熱伝導性が高い金属により形成されている。このため、ＬＥＤ光源ユニット１０を光源収容部６０に装着したときには、ＬＥＤ光源ユニット１０の基板部１５の裏面の当接部１５ａ左右両側縁が、当該ヒートシンク部７４としての光源支持壁７１、７２の上端に当接することにより、ＬＥＤ光源ユニット１０の回り止めを図ると共に、ＬＥＤ１２から放熱された熱が溜まり易いＬＥＤ光源ユニット１０の基板部１５の裏面側が当該ヒートシンク部７４に接触することにより、ＬＥＤ光源ユニット１０の放熱効果を高めることができる。
【００３４】
また、ＬＥＤ光源ユニット１０は表側の形状と裏側の形状が異なるので、目視により表裏を区別して、ＬＥＤ光源ユニット１０を照明灯本体５０の光源収容部６０に装着することができる。したがって、目視により表裏を確認して、表裏面を適切な向きとして、ＬＥＤ光源ユニット１０をハウジング５１の光源収容部６０に装着することができる。
【００３５】
また、この実施形態の照明灯本体５０の光源収容部６０には、図９及び図１０に示すように、ＬＥＤ光源ユニット１０に代えて、従来の舟形電球１１０を装着することができる。即ち、舟形電球１１０は、ＬＥＤ光源ユニット１０のユニット本体１１の代わりに照光管部１１５が設けられたもので、口金部１１８はＬＥＤ光源ユニット１０の口金部１８と同一形状のものである。この場合には、図１１に示すように、ハウジング５１の光源支持壁７１、７２は、照光管部１１５には干渉しない。したがって、舟形電球１１０をＬＥＤ光源ユニット１０に代えて光源収容部６０に装着することができる。換言すれば、本実施形態に係る室内照明灯１の光源収容部６０は、光源部として、従来の舟形電球１１０とＬＥＤ光源ユニット１０のいずれか一方を選択的に取付可能である。このため、室内照明灯１によれば、使用態様に合わせて光源部の種類を適宜変更することができる。
【００３６】
＜第２の実施形態＞
次に、図１１〜図１４Ｂを参照して、上述した第１の実施形態に係る室内照明灯１の構成の一部を変更した、第２の実施形態に係る室内照明灯１Ｂについて説明する。以下、第２の実施形態に係る室内照明灯１Ｂの説明に際して、説明の簡略化のために、上述した第１の実施形態と同一の部材については同一の符号を付して説明を省略する。
【００３７】
図１１〜図１４Ｂに示すように、第２の実施形態に係る室内照明灯１Ｂでは、光源支持壁７１、７２を含む底壁７５の全体が絶縁樹脂により形成されている。そして、ＬＥＤ光源ユニット１０Ｂの基板部１５の左右両側縁における裏面の当接部１５ａのうち、一方の当接部１５ａに下方に向けて突設された凸部１７（係止部）が設けられている。他方の当接部１５ａには、凸部が設けられていない。また、基板部１５の当接部１５ａが当接する一対の光源支持壁７１、７２の上端のうち、一方の光源支持壁７１の上端に前記凸部１７が嵌まる凹部７７（被係止部）が設けられている。他方の光源支持壁７２の上端には、前記凸部１７が嵌まる凹部７７が設けられていない。
【００３８】
第２の実施形態に係る室内照明灯１Ｂでは、凸部１７と凹部７７が嵌まり合う姿勢で、ＬＥＤ光源ユニット１０Ｂが光源収容部６０Ｂに装着されるとき、ＬＥＤ光源ユニット１０の口金部１８の極性と給電端子６１、６２の極性が一致し、凸部１７と凹部７７が嵌まり合わない姿勢で、ＬＥＤ光源ユニット１０Ｂが光源収容部６０Ｂに装着されようとするとき、ＬＥＤ光源ユニット１０の口金部１８の極性と給電端子６１、６２の極性が不一致であるように設定されている。
【００３９】
即ち、第２の実施形態の室内照明灯１Ｂでは、ＬＥＤ光源ユニット１０Ｂの基板部１５に凸部１７（係止部）が形成され、照明灯本体５０Ｂのハウジング５１には、ＬＥＤ光源ユニット１０Ｂの口金部１８の極性が給電端子６１、６２の極性と一致する姿勢でＬＥＤ光源ユニット１０Ｂが光源収容部６０Ｂに装着されようとする際には凸部１７と係合して当該装着を許容し、口金部１８の極性が給電端子６１、６２の極性と一致しない姿勢でＬＥＤ光源ユニット１０Ｂが光源収容部６０Ｂに装着されようとする際には当該装着を阻止する凹部７７（被係止部）が形成されている。
【００４０】
第２の実施形態に係る室内照明灯１Ｂによれば、ＬＥＤ光源ユニット１０Ｂを照明灯本体５０Ｂのハウジング５１の光源収容部６０Ｂに取り付ける際に、ＬＥＤ光源ユニット１０Ｂの両端の口金部１８の極性と光源収容部６０Ｂの給電端子６１、６２の極性の対応関係の誤りを回避しながら、ＬＥＤ光源ユニット１０Ｂを光源収容部６０Ｂに装着することができる。つまり、ＬＥＤ光源ユニット１０Ｂの両端の口金部１８の極性が光源収容部６０Ｂの給電端子６１、６２の極性と不一致の姿勢でＬＥＤ光源ユニット１０Ｂを光源収容部６０Ｂに装着すると、ＬＥＤ光源ユニット１０Ｂの機能を損なう虞があるが、それを回避することができる。
【００４１】
尚、上記第２の実施形態では、基板部１５側に凸部１７を設け、ハウジング５１側に凹部７７を設けた場合を示したが、例えば、基板部１５側に凹部を設け、ハウジング５１側に凸部を設ける構成としても構わない。
【００４２】
＜第３の実施形態＞
次に、図１５〜図１９を参照して、上述した第１の実施形態に係る室内照明灯１の構成の一部を変更した、第３の実施形態に係る室内照明灯１Ｃについて説明する。以下、第３の実施形態に係る室内照明灯１Ｃの説明に際して、説明の簡略化のために、上述した第１の実施形態と同一の部材については同一の符号を付して説明を省略する。
【００４３】
上述した第１の実施形態では、ハウジング５１側にヒートシンク部として機能する光源支持壁７１、７２を設けた場合を示したが、第３の実施形態では、図１５〜図１９に示すように、ＬＥＤ光源ユニット１０Ｃの基板部１５の裏面、即ちＬＥＤ１２が搭載された面と反対側の面にフィン状のヒートシンク部１９が複数枚突設されている。各ヒートシンク部１９は、ＬＥＤ光源ユニット１０の軸方向Ｙ１に平行に配されており、基板部１５の左右方向に間隔をおいて並んで配列されている。また、基板部１５の本体部は絶縁樹脂で形成されており、ヒートシンク部１９は熱伝導性が高い金属で形成されている。
【００４４】
照明灯本体５０Ｃのハウジング５１側には、上述した第１の実施形態に係る室内照明灯１では設けられていた光源支持壁７１、７２が設けられていない。そして、開口７３の周縁の底壁７５の上に直接、ＬＥＤ光源ユニット１０Ｃ側のヒートシンク部１９うちの最外側の２枚のヒートシンク部１９の下端が当接するように構成されている。
【００４５】
即ち、照明灯本体５０Ｃの光源収容部６０ＣにＬＥＤ光源ユニット１０Ｃを装着すると、給電端子６１、６２にＬＥＤ光源ユニット１０Ｃが弾性挟持された状態で、ＬＥＤ光源ユニット１０Ｃのヒートシンク部１９のうちの最外側の２枚のヒートシンク部１９の下端（ヒートシンク部１９の一部）がハウジング５１の底壁７５（ハウジング５１の一部）と当接することにより、ＬＥＤ光源ユニット１０Ｃが、給電端子６１、６２による挟持方向であるＹ、Ｙ１方向を回転軸とする回転方向において回り止めされる。したがって、ＬＥＤ光源ユニット１０Ｃの照明方向を正しく設定することができる。また、ＬＥＤ光源ユニット１０Ｃの基板部１５がヒートシンク部１９を備えるので、基板部１５の放熱効果を高めることができる。
【００４６】
また、ヒートシンク部１９が基板部１５のＬＥＤ１２が搭載された面と反対側の裏面側に設けられているので、作業者は、目視により確認するだけで、ＬＥＤ１２が設けられている面（表面）を適正な向きとして、ＬＥＤ光源ユニット１０Ｃを照明灯本体５０Ｃの光源収容部６０Ｃに装着することができる。
【００４７】
また、この実施形態の照明灯本体５０Ｃの光源収容部６０Ｃにも、図２１及び図２２に示すように、ＬＥＤ光源ユニット１０Ｃに代えて、従来の舟形電球１１０を装着することができる。舟形電球１１０をＬＥＤ光源ユニット１０Ｃに代えて光源収容部６０Ｃに装着した場合、図２２に示すように、ハウジング５１は、照光管部１１５には干渉しない。したがって、舟形電球１１０をＬＥＤ光源ユニット１０Ｃに代えて光源収容部６０に装着することができる。換言すれば、本実施形態に係る室内照明灯１Ｃの光源収容部６０は、光源部として、従来の舟形電球１１０とＬＥＤ光源ユニット１０Ｃのいずれか一方を選択的に取付可能である。このため、室内照明灯１Ｃによれば、使用態様に合わせて光源部の種類を適宜変更することができる。
【００４８】
以下では、実施形態に係る室内照明灯の作用及び効果について説明する。
【００４９】
実施形態に係る室内照明灯１（１Ｂ、１Ｃ）は、舟形電球１１０の一対の口金１１８を弾性挟持して保持可能な一対の給電端子６１、６２が挟持方向（Ｙ、Ｙ１）に対向して配置された光源収容部６０を有するハウジング５１と、ＬＥＤ１２が搭載された基板部１５と、該基板部１５の両端それぞれに連設された、舟形電球１１０の口金１１８と同一形状の一対の口金部１８と、を有し、該口金部１８が給電端子６１、６２に弾性挟持されるように光源収容部６０に収容されたＬＥＤ光源ユニット１０（光源部）と、を備えている。そして、基板部１５の一部がハウジング５１の一部と当接することにより、上記挟持方向を回転軸とする回転方向においてＬＥＤ光源ユニット１０が回り止めされている。これらの点は、実施形態に係る室内照明灯１Ｂ、１Ｃについても同様である。
このように、基板部１５の一部がハウジング５１の一部と当接することにより、ＬＥＤ光源ユニット１０が回り止めされるので、ＬＥＤ光源ユニット１０を適切な取付姿勢でハウジング５１に装着することができる。
【００５０】
また、実施形態に係る室内照明灯１では、光源収容部６０が、ヒートシンク部７４を有している。そして、基板部１５の左右側縁の裏面の当接部１５ａ（基板部１５の一部）がハウジング５１の光源支持壁７１、７２の上端（ハウジング５１の一部、ヒートシンク部７４の一部）と当接することにより、ＬＥＤ光源ユニット１０が回り止めされている。
このように、ＬＥＤ光源ユニット１０が回り止めされた状態において、ＬＥＤ光源ユニット１０が光源収容部６０に設けられたヒートシンク部７４に当接（接触）するので、ＬＥＤ光源ユニット１０の放熱効果を高めることができる。
【００５１】
また、実施形態の室内照明灯１Ｃでは、基板部１５は、ＬＥＤ１２が搭載された面と反対側の面に設けられたヒートシンク部１９を有している。そして、ヒートシンク部１９のうちの最外側の２枚のヒートシンク部１９の下端（ヒートシンク部１９の一部）がハウジング５１の底壁７５（ハウジング５１の一部）と当接することにより、ＬＥＤ光源ユニット１０が回り止めされている。
このように、ＬＥＤ光源ユニット１０Ｃの基板部１５がヒートシンク部１９を備えるので、ＬＥＤ光源ユニット１０Ｃの放熱効果を高めることができる。また、ＬＥＤ光源ユニット１０Ｃの放熱効果を高めるためのヒートシンク部１９を用いてＬＥＤ光源ユニット１０Ｃの回り止めを実現できるので、特別な構成を設けることなく平易な構成で回り止めを実現でき、部品点数の削減や製造コストの低減を図ることができる。また、ヒートシンク部１９が基板部１５のＬＥＤ１２が搭載された面（表面）とは反対側の面（裏面）に設けられているので、作業者は、目視により表裏を確認して、表裏面を適切な向きとして、ＬＥＤ光源ユニット１０Ｃをハウジング５１の光源収容部６０に装着することができる。
【００５２】
また、実施形態の室内照明灯１Ｂでは、基板部１５の当接部１５ａに凸部１７（係止部）が形成されている。そして、ハウジング５１には、口金部１８の極性が給電端子６１、６２の極性と一致する姿勢でＬＥＤ光源ユニット１０Ｂが光源収容部６０Ｂに装着されようとする際には凸部１７と係合して当該装着を許容し、口金部１８の極性が給電端子６１、６２の極性と一致しない姿勢でＬＥＤ光源ユニット１０Ｂが光源収容部６０Ｂに装着されようとする際には当該装着を阻止する凹部７７（被係止部）が形成されている。
これにより、ＬＥＤ光源ユニット１０Ｂを照明灯本体５０Ｂのハウジング５１の光源収容部６０Ｂに取り付ける際に、ＬＥＤ光源ユニット１０Ｂの両端の口金部１８の極性と光源収容部６０Ｂの給電端子６１、６２の極性の対応関係の誤りを回避しながら、ＬＥＤ光源ユニット１０Ｂを光源収容部６０Ｂに装着することができる。つまり、ＬＥＤ光源ユニット１０Ｂの両端の口金部１８の極性が光源収容部６０Ｂの給電端子６１、６２の極性と不一致の姿勢でＬＥＤ光源ユニット１０Ｂを光源収容部６０Ｂに装着すると、ＬＥＤ光源ユニット１０Ｂの機能を損なう虞があるが、それを回避することができる。
【００５３】
尚、本発明の技術的範囲は、上述した実施形態に限定されるものではない。上述した実施形態は、本発明の技術的範囲内で種々の変形や改良等を伴うことができる。
【００５４】
例えば、上述した第１の実施形態では、ＬＥＤ光源ユニット１０を光源収容部６０に装着した際に、基板部１５の当接部１５ａ（基板１５の一部）がハウジング５１の光源支持壁７１、７２の上端（ハウジング５１の一部）に当接していることにより、挟持方向（Ｙ、Ｙ１方向）を回転軸とする回転方向において回転しないようにＬＥＤ光源ユニット１０が支持されている構成としたが、ＬＥＤ光源ユニット１０を光源収容部６０に装着した際には基板部１５がハウジング５１に当接せず、当該装着後、正規な取付角度から所定の角度だけＬＥＤ光源ユニット１０が回転した場合に、基板部１５の当接部１５ａがハウジング５１の光源支持壁７１、７２の上端に当接してＬＥＤ光源ユニット１０を回り止めする構成としても構わない。
【００５５】
また、第３の実施形態に係るＬＥＤ光源ユニット１０Ｃと照明灯本体５０Ｃに、第２の実施形態における凸部１７と凹部７７の組み合わせから成る機構を適用しても構わない。即ち、基板部１５に設けたヒートシンク部１９のうちハウジング５１の底壁７５と当接する部分と、底壁７５側のヒートシンク部１９に当接する部分と、の一方に凸部を設け他方に凹部を設ける構成としても構わない。この場合、間違った姿勢でＬＥＤ光源ユニット１０Ｃを光源収容部６０Ｃに装着することを防止できる。
【符号の説明】
【００５６】
１，１Ｂ，１Ｃ  室内照明灯
１０，１０Ｂ，１０Ｃ  ＬＥＤ光源ユニット（光源部）
１２  ＬＥＤ
１５  基板部
１５ａ  当接部
１７  凸部（係止部）
１８  口金部
１９  ヒートシンク部
５０，５０Ｂ，５０Ｃ  照明灯本体
５１  ハウジング
６０，６０Ｂ，６０Ｃ  光源収容部
６１，６２  給電端子
６１ａ，６２ａ  嵌合孔
７１，７２  光源支持壁
７４  ヒートシンク部
７７  凹部（被係止部）
１１０  舟形電球
１１８  口金部
Ｙ１  軸方向（挟持方向）
【図１】
2014156169.tif 000003
【図２】
2014156169.tif 000004
【図３】
2014156169.tif 000005
【図４】
2014156169.tif 000006
【図５】
2014156169.tif 000007
【図６】
2014156169.tif 000008
【図７】
2014156169.tif 000009
【図８】
2014156169.tif 000010
【図９】
2014156169.tif 000011
【図１０】
2014156169.tif 000012
【図１１】
2014156169.tif 000013
【図１２】
2014156169.tif 000014
【図１３】
2014156169.tif 000015
【図１４Ａ】
2014156169.tif 000016
【図１４Ｂ】
2014156169.tif 000017
【図１５】
2014156169.tif 000018
【図１６】
2014156169.tif 000019
【図１７】
2014156169.tif 000020
【図１８】
2014156169.tif 000021
【図１９】
2014156169.tif 000022